【事件の表示】
　平成１１年特許願第１１３０８８号「ウェアラブル視聴率メータシステム」拒絶査定に対する審判事件［平成１２年１１月　２日出願公開、特開２０００−３０７５３０］について、次のとおり審決する。
【結　論】
　本件審判の請求は、成り立たない。
【理　由】
１．手続きの経緯・本願発明
　本願は、平成１１年４月２１日の出願であって、その請求項１に係る発明は、平成１３年９月７日付けの手続補正書により補正された特許請求の範囲の請求項１に記載された次のとおりのものと認める。
「【請求項１】調査対象の放送受信機と、常に調査対象者が身に付けているウェアラブル視聴率メータと、移動体通信網と、前記ウェアラブル視聴率メータと通信して個人視聴取率を集計する視聴率集計センタで構成されるウェアラブル視聴率メータシステムであって、
前記ウェアラブル視聴率メータは前記視聴率集計センタから調査対象者の識別コードと前記視聴率集計センタの基準時刻を含む情報を前記移動体通信網から受信し、それにより、調査対象者を確定すると共に、前記ウェアラブル視聴率メータの時刻を前記視聴率集計センタの時刻に一致させる機能と、
前記放送受信機より視聴番組楽音データを収集して、前記楽音の特徴パラメータを抽出し、前記特徴パラメータで構成される視聴番組楽音データと聴取時刻と前記調査対象者の識別コードと転送時刻とを多重化した伝送パケットを転送する機能とを備え、
前記視聴率集計センタは前記移動体通信網の公衆用無線基地局で基地局識別コードを付加した前記伝送パケットを受信する機能と、聴取地域で聴取時刻に受信可能なすべての放送番組（以下、基準番組と称する）を受信する機能と、
前記基準番組の楽音の特徴パラメータを抽出し、前記特徴パラメータで構成される基準番組楽音データに放送地域と番組名と放送時間とを多重化した基準番組パケットを作成する機能と、
前記伝送パケットから分離した聴取時刻と基地局識別コードにより、前記基準番組パケットを順次選択し、前記聴取時刻と前記視聴率集計センタの時刻との誤差を補正しながら、前記基準番組パケットに含まれる特徴パラメータと伝送パケットに含まれる特徴パラメータとの相関関係を両者の周波数スペクトラムとその振幅レベルの時間変化の類似度を求めて番組を特定する機能と、
前記ウェアラブル視聴率メータに調査対象者の識別コードと基準時刻を含む情報を伝送する機能を備えることを特徴とするウェアラブル視聴率メータシステム。」
　なお、平成１３年１２月１７日付けの手続補正は、同日付けで却下された。
２．引用例の記載
　これに対し、原審の拒絶の理由に引用した特開平１０−３０８７１１号公報（以下「引用例１」という。）、特開平７−３２７０１７号公報（以下「引用例２」という。）、特開昭５７−１０６２５３号公報（以下「引用例３」という。）には、下記の事項が記載されている。
（引用例１）
「【特許請求の範囲】
【請求項１】放送受信機からの楽音を記録分析し、受信周波数を特定し、前記受信周波数と番組受信した時刻をメモリに記録できる視聴番組収集機を複数の調査対象者毎に腕時計やペンダント等の形で携帯させ、視聴番組収集機の電池を充電する度に視聴番組収集機に記録されている受信周波数と時刻に関するデジタルデータを充電器に内蔵した電話モデム、電話回線を経て、番組視聴率集計センターに送ることによって個人の視聴取率を集計する個人視聴取率集計システムであって、
前記番組収集機は、放送局からの電波を受信する小型アンテナと、アンテナ入力信号からＰＬＬシンセサイザー等含む自動選局手段によって、調査する放送局名を順次選局して、復調する手段とを有する基準受信機と、
前記基準受信機から出力される楽音信号をＡ／Ｄ変換器でデジタル信号の形式にして記録する楽音記録回路と、
放送受信機から出力される楽音をマイクを経て入力した楽音信号を増幅する手段と放送受信機を取り巻く雑音を削減するための帯域フィルタとを備えた増幅器と、
前記増幅器から出力されるＳ／Ｎの高い楽音信号をＡ／Ｄ変換器でデジタル信号の形式にして記録する楽音記録回路と、
前記記録回路から読み出した楽音信号をフィルタにより、複数の周波数に分解し、各々を一定の間隔でサンプリングして楽音の特徴パラメータを抽出し、周波数と、特徴パラメータによるマトリックスパターンを作成し、記録するデータメモリと、
２つの楽音マトリックスパータンを同時進行的に比較し、２つの楽音マトリックスパターンが一致したときの受信周波数と時計の時刻を番組メモリに記録する手段をもつデータ処理回路と、
前記番組収集機を充電する時に番組メモリから充電器にデータを転送するためのインターフェースと以上の回路を動作させるための電池を含む電源回路とを備え、
前記充電器は、前記番組収集機の電池を充電のために充電器に接続され、電池を充電する充電回路と、前記番組収集機から転送されるデジタルデータを受信するインターフェスと、デジタルデータを一時記録し、電話回線に転送する転送速度を調整する手段を持つデータ処理回路と、
デジタルデータを電話回線に転送するための電話モデムとを備え、前記の番組視聴率集計センターでは複数の前記充電器からの転送される受信周波数と受信時の時刻に関するデジタルデータから番組を特定し、番組の視聴取率を集計することを特徴とした個人視聴取率集計システム。」
（引用例２）
「【００１４】図２において、１１０，１２０，１３０は本実施例の図１に示す聴取率調査装置を積載する聴取率調査対象の車、３００はラジオ放送局、４００は聴取率調査装置を積載する聴取率調査対象の車より聴取調査結果を無線で送信させ、これを受信する無線基地局、５００は無線基地局での受信結果を受け取り、所望相手に送信する通信センタ、６００は通信センタよりの聴取調査結果を受け取り集計する聴取率調査センタである。」
　この記載によれば、引用例２には、聴取率調査装置で取得した聴取調査結果を無線基地局４００を介して、聴取率調査センタ６００へ送信することが記載されている。
（引用例３）
「本発明では被調査先で視聴している放送局の音声を調査元で収集し、調査元では当該収集した音声と自身が受信した放送局の音声とを比較する処理を調査対象としている放送局に対して順次行なうようにし、双方の音声の一致を検出することによって被調査先での受信放送局名を特定するようにした。」（第２頁左上欄第８行〜第１４行）
「第２図において、３０は網制御回路・・・３２は被調査先の加入者番号を自動送出する自動ダイヤル送出部、・・・３４は端局装置に対して視聴音声の送出要求信号を送出する要求信号送出部、・・・３６は調査対象の放送局の電波を受信し放送音声を検出する放送受信部、３７は放送受信部３６での受信局を順次変えていく受信局スキャナ、３８は位相反転部３５からの音声信号と放送受信部３６からの音声信号とを比較して端局装置側での受信局を特定する比較部、３９は比較部３８からの信号により特定された放送局名を記憶する記憶部・・・である。」（第２頁右下欄第４行〜第３頁左上欄第１行）
３．対比・判断
　本願の請求項１に係る発明（以下「前者」という。）と上記引用例１記載の発明（以下「後者」という。）を比較する。
　両者は、いずれもウェアラブル視聴率メータシステムであって、
　後者の「視聴番組収集機」は、複数の調査対象者毎に腕時計やペンダント等の形で携帯するものであるから、前者の常に調査対象者が身に付けている「ウェアラブル視聴率メータ」に対応し、後者の「放送受信機」、「番組視聴率集計センター」は、それぞれ前者の「調査対象の放送受信機」、「視聴率集計センタ」に対応している。
　後者の「放送受信機から出力される楽音をマイクを経て入力した楽音信号を増幅する手段と放送受信機を取り巻く雑音を削減するための帯域フィルタとを備えた増幅器と、前記増幅器から出力されるＳ／Ｎの高い楽音信号をＡ／Ｄ変換器でデジタル信号の形式にして記録する楽音記録回路と、前記記録回路から読み出した楽音信号をフィルタにより、複数の周波数に分解し、各々を一定の間隔でサンプリングして楽音の特徴パラメータを抽出し、周波数と、特徴パラメータによるマトリックスパターン」は、前者の「前記放送受信機より視聴番組楽音データを収集して、前記楽音の特徴パラメータを抽出し、前記特徴パラメータで構成される視聴番組楽音データ」に対応する。
　両者は、調査対象の放送受信機と、常に調査対象者が身に付けているウェアラブル視聴率メータと、通信網と、前記ウェアラブル視聴率メータと通信して個人視聴取率を集計する視聴率集計センタで構成されるウェアラブル視聴率メータシステムであって、
前記ウェアラブル視聴率メータは前記放送受信機より視聴番組楽音データを収集して、前記楽音の特徴パラメータを抽出し、前記特徴パラメータで構成される視聴番組楽音データを取得する機能を備え、
前記視聴率集計センタは個人の視聴率を集計する機能を備えることを特徴とするウェアラブル視聴率メータシステム
である点で一致し、
（１）通信網が、前者は、移動体通信網であるのに対し、後者は、電話回線である点、
（２）前者では、前記ウェアラブル視聴率メータは、前記視聴率集計センタから調査対象者の識別コードと前記視聴率集計センタの基準時刻を含む情報を前記移動体通信網から受信し、それにより、調査対象者を確定すると共に、前記ウェアラブル視聴率メータの時刻を前記視聴率集計センタの時刻に一致させる機能を有し、視聴率集計センタは、ウェアラブル視聴率メータに調査対象者の識別コードと基準時刻を含む情報を伝送する機能を有するのに対し、後者では、そのような機能を備えていない点、
（３）前者では、前記ウェアラブル視聴率メータは前記特徴パラメータで構成される視聴番組楽音データと聴取時刻と前記調査対象者の識別コードと転送時刻とを多重化した伝送パケットを転送する機能を備えるのに対し、後者では、そのような機能を備えていない点、
（４）前者では、前記視聴率集計センタは前記移動体通信網の公衆用無線基地局で基地局識別コードを付加した前記伝送パケットを受信する機能を有するのに対し、後者では、そうではない点、
（５）調査対象者が視聴している番組を特定する手段として、前者では、前記視聴率集計センタが、聴取地域で聴取時刻に受信可能なすべての放送番組（以下、基準番組と称する）を受信する機能と、前記基準番組の楽音の特徴パラメータを抽出し、前記特徴パラメータで構成される基準番組楽音データに放送地域と番組名と放送時間とを多重化した基準番組パケットを作成する機能と、前記伝送パケットから分離した聴取時刻と基地局識別コードにより、前記基準番組パケットを順次選択し、前記聴取時刻と前記視聴率集計センタの時刻との誤差を補正しながら、前記基準番組パケットに含まれる特徴パラメータと伝送パケットに含まれる特徴パラメータとの相関関係を両者の周波数スペクトラムとその振幅レベルの時間変化の類似度を求めて番組を特定する機能とを備えるのに対し、後者では、前記番組収集機が、放送局からの電波を受信する小型アンテナと、アンテナ入力信号からＰＬＬシンセサイザー等含む自動選局手段によって、調査する放送局名を順次選局して、復調する手段とを有する基準受信機と、前記基準受信機から出力される楽音信号をＡ／Ｄ変換器でデジタル信号の形式にして記録する楽音記録回路と、２つの楽音マトリックスパータンを同時進行的に比較し、２つの楽音マトリックスパターンが一致したときの受信周波数と時計の時刻を番組メモリに記録する手段をもつデータ処理回路とを備える点
で相違している。
　次に、上記相違点について検討する。
　相違点（１）について
　引用例２には、聴取率調査装置で取得した聴取調査結果を無線基地局４００を介して、聴取率調査センタ６００へ送信することが記載されているから、かかる通信態様を後者に適用して、ウェアラブル視聴率メータと視聴率集計センタとを移動体通信網により通信するように構成することに格別困難性は認められない。
　相違点（２）について
　視聴率調査を実施する分野においては、視聴番組収集機に予め識別コードを付与しておくことが普通であって、前記視聴番組収集機の配布時に識別コードが付与されていなければ、調査開始時に識別コードを割り当てることは当然行われることである。
　複数の調査個所で、同時に同一のデータを取得し、前記データを非同期で収集するものにおいては、各調査個所の時刻を一致させておくことは当然行われるべきことである。
　以上のことを総合的に勘案して、後者において、ウェアラブル視聴率メータは視聴率集計センタから調査対象者の識別コードと前記視聴率集計センタの基準時刻を含む情報を前記移動体通信網から受信し、それにより、調査対象者を確定すると共に、前記ウェアラブル視聴率メータの時刻を前記視聴率集計センタの時刻に一致させる機能を備え、視聴率集計センタは、ウェアラブル視聴率メータに調査対象者の識別コードと基準時刻を含む情報を伝送する機能を備えるようにすることは当業者が容易に推考し得ることである。
　相違点（３）について
　聴取状況調査装置から移動体通信網を介して、調査センタに測定データを送信するものにおいて、測定データをタイムデータ、個人データ、局コード等からなるフォーマットで構成することは、特開平１０−１６３９９２号公報（段落２１，３４，３５，６３，図９を参照。）にみられるように周知である。
　引用例３には、被調査先で視聴している放送局の音声を調査元で収集することが記載されている。
　後者に、これらのことを適用して、ウェアラブル視聴率メータは特徴パラメータで構成される視聴番組楽音データと聴取時刻と調査対象者の識別コードと転送時刻とを多重化した伝送パケットを転送する機能を備えるようにすることは当業者が適宜なし得ることである。
　相違点（４）について
　視聴率調査は、地域毎に実施されるものであり、移動体通信網において、無線基地局は地域毎に配置されているから、後者において、相違点（１）で検討したように、ウェアラブル視聴率メータと視聴率集計センタとを移動体通信網により通信するように構成する場合、調査地域情報として、移動体通信網の公衆用無線基地局で基地局識別コードを伝送パケットに付加するようにすることに格別発明力を要するとすることはできない。
　相違点（５）について
　後者の「放送局からの電波を受信する小型アンテナと、アンテナ入力信号からＰＬＬシンセサイザー等含む自動選局手段によって、調査する放送局名を順次選局して、復調する手段とを有する基準受信機」は、前者の「聴取地域で聴取時刻に受信可能なすべての放送番組（以下、基準番組と称する）を受信する機能」に対応している。
　後者の「前記基準受信機から出力される楽音信号をＡ／Ｄ変換器でデジタル信号の形式にして記録する楽音記録回路から読み出した楽音信号をフィルタにより、複数の周波数に分解し、各々を一定の間隔でサンプリングして抽出した楽音の特徴パラメータ」は、前者の「基準番組の楽音の特徴パラメータ」に対応する。
　後者の「楽音マトリックスパターン」は、図３によれば、周波数とサンプリングデータ（振幅データ）の時間変化からなり、「２つのマトリックスパターンが一致した」と判断するとき、完全一致である必要はなく、両者がある程度類似していればよいとすることは当業者にとって明らかなことである。
　引用例３には、被調査先で視聴している放送局の音声を調査元で収集し、調査元では当該収集した音声と自身が受信した放送局の音声とを比較する処理を調査対象としている放送局に対して順次行なうようにし、双方の音声の一致を検出することによって被調査先での受信放送局名を特定することが記載されている。
　また、放送受信機より視聴番組楽音データを取得する聴取時刻と視聴率センタにおいて、基準番組楽音データを取得する時刻が一致していなければ、基準番組楽音データと視聴番組楽音データとを比較できないことは当業者にとって明らかであるから、伝送パケットから分離した聴取時刻と視聴率集計センタの時刻との誤差を補正しながら、番組を特定するようにすることは当然のことである。
　後者に引用例３の技術思想を適用して、視聴率集計センタに、調査対象者が視聴している番組を特定する手段を備えるようにする際、上記のことを総合的に勘案して、前記視聴率集計センタが、聴取地域で聴取時刻に受信可能なすべての放送番組（以下、基準番組と称する）を受信する機能と、前記基準番組の楽音の特徴パラメータを抽出し、前記特徴パラメータで構成される基準番組楽音データに放送地域と番組名と放送時間とを多重化した基準番組パケットを作成する機能と、前記伝送パケットから分離した聴取時刻と基地局識別コードにより、前記基準番組パケットを順次選択し、前記聴取時刻と前記視聴率集計センタの時刻との誤差を補正しながら、前記基準番組パケットに含まれる特徴パラメータと伝送パケットに含まれる特徴パラメータとの相関関係を両者の周波数スペクトラムとその振幅レベルの時間変化の類似度を求めて番組を特定する機能とを備えることは当業者が容易に推考し得ることである。
　また、本願発明の効果についてみても、上記事項の採用に伴って当然に予測される程度のものにすぎず、格別顕著なものがあるとは認められない。
４．むすび
　以上のとおりであるから、本願の請求項１に係る発明は、上記引用例１ないし３に記載された発明及び周知技術に基いて当業者が容易に発明をすることができたものであるから、特許法第２９条第２項の規定により特許を受けることができない。
　よって、結論のとおり審決する。